(57)【要約】【課題】  リボンを作る楽しさと共に、リボンを付ける時と場に合わせた作成者の好みの種々の装飾リボンとすることのできるリボン玩具を提供する。【解決手段】  端部13の近辺に複数の透孔15を有するシート状平板体11の端部13を相互に突き合わせるように重ね、端部13を付き合わせたシート状平板体11の透孔15を重ねた状態で透孔15を貫通する前記端部13の幅よりも短い絞り具21により前記シート状平板体11の端部13を絞ったリボン玩具10とする。【選択図】    図１
2013146436.tif 000002
【特許請求の範囲】
【請求項１】
シート状平板体の端部を相互に突き合わせるように重ね、前記シート状平板体は端部の近辺に複数の透孔を有し、前記端部を付き合わせた前記シート状平板体の透孔を重ねた状態で前記透孔を貫通する前記端部の幅とされた長さよりも短い長さの絞り具により前記シート状平板体の端部を絞ったことを特徴とするリボン玩具。
【請求項２】
前記絞り具は、前記透孔よりも直径の大きな頭部を有する円筒形状であって、前記透孔に円筒部を貫通させ、先端部にリングを嵌合して前記透孔からの脱落が防止されていることを特徴とする請求項１に記載のリボン玩具。
【請求項３】
前記シート状平板体は、シートが重ねられて周囲を閉じ、一部が開口とされた袋状であり、前記開口とされた部分の端部近辺に複数の前記透孔を有することを特徴とする請求項１または請求項２に記載のリボン玩具。
【請求項４】
前記シート状平板体は、透明または半透明の合成樹脂フィルムで形成された平板体であることを特徴とする請求項３に記載のリボン玩具。
【請求項５】
前記シート状平板体は、着色透明または着色半透明の合成樹脂フィルムで形成された平板体であることを特徴とする請求項３に記載のリボン玩具。
【請求項６】
前記シート状平板体の中には、装飾物が封入されていることを特徴とする請求項３乃至請求項５の何れかに記載のリボン玩具。
【請求項７】
前記絞り具を囲む環状の付加締め具を有することを特徴とする請求項１乃至請求項６の何れかに記載のリボン玩具。
【請求項８】
前記付加締め具は、その本体部の外面に環体と付加飾りを有することを特徴とする請求項７に記載したリボン玩具。
【発明の詳細な説明】
【技術分野】
【０００１】
本発明は、装身具としてのリボンに関し、子供が容易に作成して楽しむことのできる玩具としてのリボンに関するものである。
【背景技術】
【０００２】
今日、装身具などのリボンは、既にリボンとして作成製造されたものの他、スカーフなどの布地を留め具によりリボン形状として身体に取り付け可能とするもの（例えば特許文献１及び特許文献２）や、紐状の布地などをリボン状に結んで身体や物品のケースに取り付けるものなどがある。
【先行技術文献】
【特許文献】
【０００３】
【特許文献１】特開２０００−１４４１４号公報
【特許文献２】特開平９−２２０１０５号公報
【発明の概要】
【発明が解決しようとする課題】
【０００４】
従来のリボンは、既にリボンの形状とされているものは大きさや色、布地の模様や柄により自分の服装などに合ったリボンを探すようにして選択するしかなく、また、留め具によって布地をリボン形状とするものも、布地の色や柄模様でリボンの美麗さが決まり、子供たちが使用者や使用場所に合ったリボンを作成する楽しみを持てるものが少なかった。
【０００５】
本発明は、この様な欠点を排除し、リボンを作る楽しさと共に、リボンを付ける時と場所や使用者に合わせて使用者である作成者の好みに応じた種々の装飾リボンとすることのできるリボン玩具を提供するものである。
【課題を解決するための手段】
【０００６】
本発明に係るリボン玩具は、シート状平板体の端部を相互に突き合わせるように重ね、前記シート状平板体は前記端部の近辺に複数の透孔を有し、前記端部を付き合わせたシート状平板の前記透孔を重ねた状態で前記透孔を貫通する前記端部の幅とされた長さよりも短い長さの絞り具により前記シート状平板体の端部を絞ったことを特徴とする。
【０００７】
そして、前記絞り具は、前記透孔よりも直径の大きな頭部を有する円筒形状であって、前記シート状平板体の透孔に円筒部を貫通させ、先端部にリングを嵌合して前記透孔からの脱落が防止されるものである。
【０００８】
また、このシート状平板体は、シートが重ねられて周囲を閉じ、一部が開口とされた袋状であって、前記開口とされた端部の近辺に透孔を有する袋状であることが好ましい。
【０００９】
また、このシート状平板体には、透明または半透明の合成樹脂フィルムや着色透明または着色半透明の合成樹脂フィルムを用いることもある。
【００１０】
更に、前記袋状としたシート状平板体の中には、装飾物を封入することもある。
【００１１】
更に、絞り具を囲む環状の付加締め具を有することもある。
そして、この付加締め具は、本体部の外面に環体と付加飾りを有することがある。
【発明の効果】
【００１２】
本発明に係るリボン玩具は、シート状平板体の端部を突き合わせて端部を絞ることによりリボン形状とすることができるものであり、作成者の好みのリボンを容易に作成して遊ぶことのできる玩具である。
【００１３】
また、絞り具をリングと組み合わせて絞り具がシート状平板体の透孔から脱落しないようにすれば、作成が容易にして、形が崩れないリボンを容易に作成して遊ぶことができる。
【００１４】
また、このシート状平板体を袋状とすることにより内部に種々のものを入れることができ、このシート状平板体を透明または半透明の合成樹脂フィルムにより形成することにより、内部に入れたものを透視することができ、リボンの装飾性を高めることができる。
【００１５】
そして、このシート状平板体が着色透明または着色半透明の合成樹脂フィルムにより形成される場合は、リボン本体の色と合わせて内部に入れたものにより装飾性を一層高めることができる。
【００１６】
更に、袋状としたシート状平板体の中に装飾物を封入すれば、美麗なリボンであって、遊ぶ楽しさの大きなリボン玩具とすることができる。
【００１７】
更に、付加締め具を設けることにより、シート状平板体の突き合わせ部分を隠し、美麗に見せることができる。
【００１８】
そして、環体と付加飾りを有する付加締め具とすることにより、環体によりリボン玩具を身体に着けやすい玩具とし、付加飾りによりこの付加飾りを中央に有するリボン玩具として一層美麗な装身玩具とすることができる。
【図面の簡単な説明】
【００１９】
【図１】本発明に係るリボン玩具の一例を示す図。
【図２】本発明に係るリボン玩具の分解図。
【図３】本発明に係るリボン玩具の他の例を示す図。
【図４】本発明に係るリボン玩具に用いる装飾物の一例を示す図。
【図５】本発明に係るリボン玩具の作成に用いる治具の一例を示す図。
【図６】本発明に係るリボン玩具の作成手順を示す図。
【図７】本発明に係るリボン玩具の作成手順を示す図。
【図８】本発明に係るリボン玩具の作成手順を示す図。
【図９】本発明に係るリボン玩具の作成手順を示す図。
【図１０】本発明に係るリボン玩具の作成手順を示す図。
【図１１】本発明に係るリボン玩具の作成手順を示す図。
【図１２】本発明に係るリボン玩具に用いる付加物の例を示す図。
【図１３】本発明に係るリボン玩具に付加物を付けた状態を示す図。
【発明を実施するための形態】
【００２０】
本発明に係るリボン玩具10の実施の形態は、端部13の近辺に複数の透孔15を有するシート状平板体11の端部13を相互に突き合わせるように重ね、端部13を付き合わせたシート状平板体11の透孔15を重ねた状態で透孔15を貫通する前端部13の幅よりも短い絞り具21により前記シート状平板体11の端部13を絞ったものである。
【００２１】
絞り具21は、シート状平板体11の透孔15よりも直径の大きな頭部25を有する円筒形状であって、シート状平板体11の透孔15に円筒部23を貫通させ、先端部にリング31を嵌合して透孔15から絞り具21の脱落を防止しているものである。
【００２２】
また、このシート状平板体11は、シートが重ねられて一部を開口として周囲が閉じられた袋状であって、透明または半透明の合成樹脂フィルムで形成され、着色透明または着色半透明の合成樹脂フィルムを用いることもある。
【００２３】
更に、この袋状とされるシート状平板体の中には、装飾物17を封入することがある。
【００２４】
そして、リボン玩具10の絞り具21を囲む環状の付加締め具61を更に有することもあり、この付加締め具61は外面に環体64と付加飾り71を有するものである。
【実施例１】
【００２５】
本発明に係るリボン玩具の実施例は、図１に示すように、両端の幅が広く、中央が絞り具21により絞られたシート状平板体11が絞り具21の左右に配置されてリボン形状とされるものである。尚、図には示していないが、模様や絵柄が描かれたシート状平板体11とされることもある。
【００２６】
このリボン玩具10は、図２に示すように、同一形状同一大きさの四辺形のシート状平板体11を２枚用いるものであって、該シート状平板体11は端部13の一辺に沿って端部13の近辺にシート状平板体11の表から裏に抜ける４個の透孔15を有するものである。
【００２７】
なお、このシート状平板体11は、シートを２枚重ね、端部13とした一辺を開口とし、他の三辺である周囲は閉じられた袋状であって、開口とした端部13である一辺の近辺に透孔15を有するものであり、透明または半透明の合成樹脂フィルムにより形成されるものであって、無色または有色の透明または半透明のフィルムを用いるものである。
【００２８】
そして、絞り具21は、シート状平板体11の透孔15よりも小さい外径にして端部13の幅とされる透孔15を設けた端部13の一辺の長さよりも短い長さの円筒部23を有し、該円筒部23の一端には透孔15よりも大きな直径とされる頭部25を、円筒部23の他端には円筒部23の外径よりも大きく且つ透孔15よりもわずかに小さな外径とされる係止鍔部27を有するものである。
【００２９】
なお、この絞り具21は頭部25から円筒部23の他端に貫通する貫通穴29を有するものである。
【００３０】
また、リング31は、一部に開口35を備えた円環状のリング本体33を有するＣリング形状であって、リング本体33の内径を絞り具21の円筒部23の外径と略同一とし、開口35と対向する位置のリング本体33の外側に飾り膨出部37を有するものである。
【００３１】
従って、このリボン玩具10は、図１に示したように、２枚の袋状とされたシート状平板体11が端部13を重ねるようにしてシート状平板体11の底部を左右とし、端部13を折り重ねるようにして絞られ、絞り具21とリング31とにより端部13が閉じられてリボン形状とされるものである。
【００３２】
また、シート状平板体11の内部には、図３に示すように、星形、球形、花形などの複数個の装飾物17を入れることもある。
【００３３】
この装飾物17は、図４に示すように、星形、球形、花形など適宜の形状をした合成樹脂製の装飾物17であり、ライナー19などにより複数の装飾物17を一体的に成形したものを用いる場合、又は、各装飾物17を各々単独形状としてこの単独形状の装飾物17の複数個を容器又は袋に収納したものを用いる場合がある。尚、ライナー19により一体とされた装飾物17は、適宜に個々の装飾物17をライナー19から外して用いることとする。
【００３４】
そして、このリボン玩具10の組み立てには、図５に示すような治具を用いるものである。
【００３５】
この治具は、上部に突出した受け台45を備えた台座41、及び、通し棒51や押し棒55を組み合わせたものである。
【００３６】
この台座41は、下台座部43と上台座部42とに分割可能であり、内部に装飾物17や絞り具21、リング31、その他のリボン玩具10の付属品等を収納可能としている。
【００３７】
そして、上台座部42の上面中央に受け台45が突出しており、受け台45の上面中央にはリング31を嵌挿可能な窪み形状の載置部46が形成され、載置部46の中央には通し棒51が挿入可能な挿入口47が形成されているものである。
【００３８】
そして、通し棒51は、円柱棒状の本体部52を有し、本体部52はシート状平板体11の透孔15を設けた端部13の幅である一辺の長さよりも僅かに長い長さとされ、この本体部52の先端は円錐形状とされるものであり、本体部52の後端には本体部52よりも直径を小さくした棒状の支持部53を有するものである。
【００３９】
なお、本体部52の直径は、シート状平板体11の透孔15の直径よりも小さく、絞り具21の係止鍔部27の直径と同一又は係止鍔部27の直径よりも僅かに大きくされ、支持部53の直径は絞り具21の貫通穴29の直径よりも僅かに小さく、且つ、長さを絞り具21の長さよりも長くされているものである。
【００４０】
更に、押し棒55は、通し棒51の本体部52と略同一直径の棒状とされた本体部56を有し、この本体部56の頂部につまみ部57を有し、本体部56の先端から本体部56の中心に沿って通し棒51の支持部53が挿入可能とされた接続穴58を有するものである。
【００４１】
この治具により本実施例のリボン玩具10を作成するに際しては、図６に示すように、先ず、袋状のシート状平板体11に適宜の装飾物17を入れ、次に、図７に示すように、装飾物17を入れた２枚のシート状平板体11の端部13を重ねて２枚のシート状平板体11の各透孔15の位置を合わせる。また、シート状平板体にシールなどを付けたり、絵や文字などを描いておく場合もある。
【００４２】
そして、図８に示すように、通し棒51の本体部52でシート状平板体11の端部13を縫うように通し棒51を各透孔15に貫通させ、図９に示すように、絞り具21を支持部53に嵌挿する。このとき、絞り具21の係止鍔部27を通し棒51の本体部52側とするようにして支持部53に絞り具21を嵌挿するものである。
【００４３】
更に、図１０に示すように、台座41の載置部46にリング31を載置し、絞り具21から突出している支持部53を押し棒55の接続穴58に挿入して通し棒51と押し棒55とを接続し、通し棒51をリング本体33の中心を通すようにして挿入口47に挿入し、図１１に示すように通し棒51を受け台45の内部に押し込むものである。
【００４４】
このように、先端が円錐形状の通し棒51を用い、通し棒51の本体部52の後端には、本体部52と同一直径又は本体部52よりも直径が小さな係止鍔部27及び円筒部23とされた絞り具21を支持部53により通し棒51の本体部52と一体的に連続させ、通し棒51の本体部52と絞り具21とを一体的とした状態で、シート状平板体11の透孔15に通した通し棒51の本体部52を受け台45の挿入口47に押し込むため、通し棒51の先端でＣリング形状のリング本体33を押し開き、シート状平板体11の透孔15よりも大きな絞り具21の頭部25でシート状平板体11の端部13を押しつぶすように絞ることができる。
【００４５】
このため、通し棒51の本体部52が受け台45の内部に押し込まれると、リング31を絞り具21の円筒部23に嵌めることを容易に行うことができ、リング31が絞り具21から抜けないようにすると共に、リング31と絞り具21の頭部25とによりシート状平板体11の端部13を絞った状態とすることができる。
【００４６】
そして、つまみ部57を持って押し棒55を抜き取り、シート状平板体11をつまんでリボン玩具10を受け台45から取り外し、受け台45から突出している通し棒51の支持部53をつまんで通し棒51を受け台45から抜き取ることにより、次のリボン玩具10を作成することができる。
【００４７】
尚、リボン玩具10は、袋状としてシート状平板体11に装飾物17を入れる場合に限ることなく、シート状平板体11自体の色又は模様を楽しむリボン玩具10として、空の袋状とされたシート状平板体11の２枚、又は、袋状でない１枚シートであるシート状平板体11の２枚を用い、この２枚のシート状平板体11の端部13を突き合わせるように重ねて絞り具21とリング31とにより端部13を絞ることもある。
【００４８】
更に、シート状平板体11を２枚用いて端部13を突き合わせるように重ねる場合に限ることなく、シート状平板体11の４枚などの２枚よりも多い枚数を用いて端部13を重ねて透孔15を合わせるようにし、絞り具21で全てのシート状平板体11の端部13を絞ることもある。
【００４９】
このようにして、図１や図３に示したリボン玩具10を作成し、このリボン玩具10に紐75などを結んだりして取り付け、装身具として遊ぶことができる。
【００５０】
尚、装身具として直接に身に着けて遊ぶ場合に限ることなく、キーホルダー、携帯電話用ストラップ、鞄などの飾りとしても遊ぶことができる。
【００５１】
また、巾着を作成するために、袋状とされたシート状平板体11を１枚用いて、絞り具21で１枚のシート状平板体11の端部13を絞ること、又は、袋状とされたシート状平板体11を複数枚用いて端部13を同方向で重ねて透孔15を合わせるようにし、絞り具21で全てのシート状平板体11の端部13を絞ることもある。
【００５２】
更に、このリボン玩具10は、図１２に示すような付加締め具61や付加飾り71を追加し、図１３に示すように装飾性を高めつつ、身体に着けて遊びやすくすることもある。
【００５３】
この付加締め具61は絞り具21の直径よりも大きな所定の幅の板状体を四角形に折り曲げた状態の環状形状とされる本体部62を有し、絞り具21の長さよりも僅かに大きく且つ絞り具21により折り重ねられたシート状平板体11の端部13を挿入可能な内側空間を本体部62により形成しているものである（図１２参照）。
【００５４】
そして、四角形を構成する四辺の内の一辺の端部近傍が開口可能とされ、この開口部分に内側に突出する係合片67とこの係合片67を受ける溝部69を外側に有する係合受部68とを有し、係合片67を溝部69に係合させて本体部62を閉じた四角形状の環状形状とすることができるものである。
【００５５】
また、この付加締め具61は、本体部62の一辺の内側中央に突起部63を有し、この突起部63を絞り具21の貫通穴29に挿入可能としている。
【００５６】
更に、この付加締め具61は、突起部63を備えた本体部62の一辺と隣接する本体部62の一辺の外面にリング状の環体64を有し、紐75などを取り付けることを容易とし、突起部63を備えた本体部62の一辺に隣接する他の一辺の外面に円柱状の突出部65を有するものである。
【００５７】
また、付加飾り71は、図１２に示したように、ハート形とし、又は図示しない花形、星形などの適宜の形状とし、裏面には付加締め具61の突出部65と係合可能な結合部72を有するものである。
【００５８】
従って、この付加締め具61は、絞り具21の長さよりも大きな内部空間を有しているため、付加締め具61の係合片67を溝部69から外して本体部62を開き、開口部分からリボン玩具10の中央部近傍を付加締め具61の本体部62の内側に挿入し、リボン玩具10の絞り具21を付加締め具61の内部に位置させて突起部63を絞り具21の貫通穴29の端部に挿入して係合片67を溝部69に係合させることができる。
【００５９】
そして、付加締め具61の本体部62を閉じ、環体64に紐75を通し且つ突出部65に付加飾り71を取り付けることにより、図１３に示したように中央に付加飾り71を有するリボン玩具10であって、身体などに取り付けることが容易な紐75を備えたリボン玩具10とすることができる。
【００６０】
更に、付加締め具61は、その本体部62の幅を絞り具21の直径よりも大きくしており、突起部63を絞り具21の貫通穴29に挿入して絞り具21を付加締め具61の中央に位置させたとき、付加締め具61の本体部62によりシート状平板体11が重なった端部13を隠すことができる。
【００６１】
なお、付加締め具61に設けた環体64は、突起部63を備えた本体部62における一辺に隣接する辺に設ける場合に限ることなく、本体部62における突起部63を設けた辺の外面に設ける場合や突起部63を設けた辺に対向する辺の外面に設ける場合もある。
【００６２】
更に、シート状平板体11の端部13に設ける透孔15は、４個に限ることなく、最小限、２個として端部13を絞ることができれば足りるものであり、シート状平板体11の大きさに合わせて適宜の複数個とするものであって、子供の頭部など子供の身体につける大きさのリボンでは４個乃至６個程度の透孔15を設けることが好ましいものである。
【００６３】
また、このシート状平板体11は、四辺形の一辺を端部13として近辺に透孔15を設ける形状としているも、円形の一部を直線状に切り欠いてこの切欠き部分をシート状平板体11の端部13としてこの近辺に透孔15を設けるシート状平板体11や、等脚台形の上辺を端部13としてこの端部13の直線辺に沿って透孔15を設けるシート状平板体11とすることもあり、四辺形に限ることのない、袋状又は単一シートによるシート状平板体11を用いることもある。
【００６４】
また、このシート状平板体11は、同一形状同一大きさとしているも、形状や大きさの異なるシート状平板体を組み合わせることもあり、同一形状同一大きさのシート状平板体に限るものではない。
【００６５】
そして、図５に示した押し棒55は、先端近傍において押し棒55の中心線と交わる方向に板状に突出した鍵部59を備え、台座41の受け台45に設けた挿入口47に形成した鍵溝49に鍵部59を合わせて押し棒55を挿入可能としているものである。
【００６６】
そして、この台座41は、押し棒55を挿入口47に挿入して回転させることにより、上台座部42と下台座部43とが外れないようにすることできるものとし、台座41の内部に収納した装飾物17などの部品や付属品を不用意に散乱させることが無いようにしているものである。
【符号の説明】
【００６７】
１０  リボン玩具
１１  シート状平板体
１３  端部                            １５  透孔
１７  装飾物                          １９  ライナー
２１  絞り具
２３  円筒部                          ２５  頭部
２７  係止鍔部                        ２９  貫通穴
３１  リング
３３  リング本体                      ３５  開口
３７  飾り膨出部
４１  台座
４２  上台座部                        ４３  下台座部
４５  受け台                          ４６  載置部
４７  挿入口                          ４９  鍵溝
５１  通し棒
５２  本体部                          ５３  支持部
５５  押し棒
５６  本体部                          ５７  つまみ部
５８  接続穴                          ５９  鍵部
６１  付加締め具
６２  本体部                          ６３  突起部
６４  環体                            ６５  突出部
６７  係合片                          ６８  係合受部
６９  溝部
７１  付加飾り
７２  結合部
７５  紐
【図１】
2013146436.tif 000003
【図２】
2013146436.tif 000004
【図３】
2013146436.tif 000005
【図４】
2013146436.tif 000006
【図５】
2013146436.tif 000007
【図６】
2013146436.tif 000008
【図７】
2013146436.tif 000009
【図８】
2013146436.tif 000010
【図９】
2013146436.tif 000011
【図１０】
2013146436.tif 000012
【図１１】
2013146436.tif 000013
【図１２】
2013146436.tif 000014
【図１３】
2013146436.tif 000015